(57)【特許請求の範囲】
【請求項１】
上下に間隔を開けて且つ定位置に配置された複数の上ガイドロール及び下ガイドロールと、該上ガイドロール及び下ガイドロールの間に配置され、ほぼ水平に移動可能な複数の移動ロールとを備えたアキュムレータ部にウェブを通すための紙通し装置であって、前記複数の上ガイドロールのうち、ウェブが上部を逆Ｕ字状に通過するように配置された上ガイドロールの端部上方に、該上ガイドロールの上面を取り囲むように設けられた逆Ｕ字状のガイド溝を備えたガイド部材と、前記ガイド溝内を通過しうるよう湾曲自在な長尺のばね材であって、前記ガイド溝内に逆Ｕ字状に通した状態でその両端に作業者が接近可能な長さを有し、後端にウェブ先端を連結した状態で前記ガイド溝内を通り抜けさせることで前記ウェブを前記上ガイドロールの上方を通過させることの可能な前記ばね材と、該ばね材を通り抜け可能な形態で挿入させて保持する支持材であって、作業者が該支持材の下端を保持して操作することで、該支持材の上端から前記ばね材の先端を前記ガイド溝の一端に挿入させることの可能な長さを有する前記支持材とを有する紙通し装置。
【請求項２】
上下に間隔を開けて且つ定位置に配置された複数の上ガイドロール及び下ガイドロールと、該上ガイドロール及び下ガイドロールの間に配置され、ほぼ水平に移動可能な複数の移動ロールとを備えたアキュムレータ部と、そのアキュムレータ部の上流に配置され、ウェブを案内するよう定位置に配置された複数のガイドロールを備えたウェブ案内部とにウェブを通すための紙通し装置であって、前記ウェブ案内部及びそれに続く前記アキュムレータ部の最初の上ガイドロールの配置領域に設けられ、ウェブ先端を連結した状態で走行することでウェブを引き出し、通して行くことの可能な有端状の紙通しチェーンと、該紙通しチェーンが、前記ウェブ案内部を通過し前記アキュムレータ部の最初の上ガイドロールを通るウェブの走行経路とほぼ同一経路を走行してウェブを通すことができるよう、前記紙通しチェーンを支持して案内するように配置された複数のチェーンスプロケットであって、前記ウェブ案内部の最初のガイドロールのロール端及び前記アキュムレータ部の最初の上ガイドロールのロール端に設けられたチェーンスプロケットを含む複数の前記チェーンスプロケットと、前記紙通しチェーンを掛けた複数のチェーンスプロケットのうち、少なくとも両端に位置するチェーンスプロケットを手動で回転駆動させる駆動機構と、前記アキュムレータ部の複数の上ガイドロールのうち、ウェブが上部を通過するように配置された上ガイドロールの端部上方に、該上ガイドロールの上面を取り囲むように設けられた逆Ｕ字状のガイド溝を備えたガイド部材と、前記ガイド溝内を通過しうるよう湾曲自在な長尺のばね材であって、前記ガイド溝内に逆Ｕ字状に通した状態でその両端に作業者が接近可能な長さを有し、後端にウェブ先端を連結した状態で前記ガイド溝内を通り抜けさせることで前記ウェブを前記上ガイドロールの上方を通過させることの可能な前記ばね材と、該ばね材を通り抜け可能な形態で挿入させて保持する支持材であって、作業者が該支持材の下端を保持して操作することで、該支持材の上端から前記ばね材の先端を前記ガイド溝の一端に挿入させることの可能な長さを有する前記支持材とを有する紙通し装置。
【発明の詳細な説明】
【０００１】
【産業上の利用分野】
本発明は、印刷機、加工機等のウェブを走行させて処理する機械において、ウェブを所定の走行経路に通すための紙通し装置に関し、特に、アキュムレータ部を備えた装置における紙通し装置に関する。
【０００２】
【従来の技術】
従来の印刷機、加工機等ではウェブを案内するガイドロールが定位置に配置されているものがほとんどであり、紙通し方法としては、ウェブが通る部分に、ワイヤ等を通しておき、ウェブを固定、循環させることで紙通しすることが主流であった。
【０００３】
また、最近の印刷機、加工機等では、高能率化のため、機械を停止せることなく用紙交換を行うことができるようにするため、ウェブを一次的に蓄積することの可能なアキュムレータ部を設けるタイプが増えてきている。このアキュムレータ部は、上下の定位置に配置されるガイドロールとそれに対して水平に移動可能な移動ロールを有し、移動ロール自体を移動させることでウェブを蓄積する構成となっているため、従来の循環式紙通し装置では対応できず、人手により紙通しを行っていた。
【０００４】
【発明が解決しようとする課題】
しかしながら、アキュムレータ部では通常、上下のガイドロール間隔を大きくとっており、このため、このアキュムレータ部に人手により紙通しを行う作業は、作業者に大きい負荷を与え、しかも、場合によっては危険を伴うという問題があった。なお、従来より、自走式、レール駆動型等の紙通し方式も知られており、これをアキュムレータ部に用いることが考えられるが、その場合には、アキュムレータ部のみならず、他の部分にも同じ方式を採用しなければならず、非常に高価なものとなってしまう。しかも設置にはある程度のスペースが必要な上、電気的なメンテナンス等も必要になる等の問題もあった。
【０００５】
本発明は、かかる従来の問題点に鑑みて為されたもので、アキュムレータ部に対して、簡単な構造で且つ作業者に対する負荷をあまり大きくすることなく紙通しを行うことの可能な紙通し装置を提供することを目的とする。
【０００６】
また、本発明はアキュムレータ部及びそれに隣接したウェブ案内部に対して、簡単な構造で且つ作業者に対する負荷をあまり大きくすることなく紙通しを行うことの可能な紙通し装置を提供することを目的とする。
【０００７】
【課題を解決するための手段】
本願請求項１の発明は、アキュムレータ部に対する紙通しを行うために、アキュムレータ部に設けている複数の上ガイドロールのうち、ウェブが上部を逆Ｕ字状に通過するように配置された上ガイドロールの端部上方に、該上ガイドロールの上面を取り囲むように逆Ｕ字状のガイド溝を備えたガイド部材を設け、且つ前記ガイド溝内を通過しうるよう湾曲自在な長尺のばね材であって、前記ガイド溝内に逆Ｕ字状に通した状態でその両端に作業者が接近可能な長さを有し、後端にウェブ先端を連結した状態で前記ガイド溝内を通り抜けさせることで前記ウェブを前記上ガイドロールの上方を通過させることの可能な前記ばね材と、該ばね材を通り抜け可能な形態で挿入させて保持する支持材であって、作業者が該支持材の下端を保持して操作することで、該支持材の上端から前記ばね材の先端を前記ガイド溝の一端に挿入させることの可能な長さを有する前記支持材とを備えるという構成としたものである。
【０００８】
また、本願請求項２の発明は、アキュムレータ部と、その上流に配置され、定位置に配置された複数のガイドロールを備えたウェブ案内部とに対する紙通しを行うため、アキュムレータ部に対しては上記請求項１の発明と同一構成の紙通し装置を設け、ウェブ案内部及びそれに続く前記アキュムレータ部の最初の上ガイドロールの配置領域に対しては、ウェブ先端を連結した状態で走行することでウェブを引き出し、通して行くことの可能な有端状の紙通しチェーンと、該紙通しチェーンが、前記ウェブ案内部を通過し前記アキュムレータ部の最初の上ガイドロールを通るウェブの走行経路とほぼ同一経路を走行してウェブを通すことができるよう、前記紙通しチェーンを支持して案内するように配置された複数のチェーンスプロケットであって、前記ウェブ案内部の最初のガイドロールのロール端及び前記アキュムレータ部の最初の上ガイドロールのロール端に設けられたチェーンスプロケットを含む複数の前記チェーンスプロケットと、前記紙通しチェーンを掛けた複数のチェーンスプロケットのうち、少なくとも両端に位置するチェーンスプロケットを手動で回転駆動させる駆動機構を設けるという構成を備えたものである。
【０００９】
【作用】
本願請求項１の発明は上述の構成により、アキュムレータ部への紙通しを行うに際し、作業者が支持材を用いてガイド部材のガイド溝にばね材を挿入し、且つ逆Ｕ字状に通し、その後支持材のみを取り外し、ばね材の上流側にウェブ先端を貼り付け、下流側を引っ張ってガイド部材から引き抜くことにより、ウェブを上ガイドロールの上に通すことができる。この際、ガイド部材に逆Ｕ字状に通したばね材の下端は作業者が容易に操作できる高さとなるから、高い位置にある上ガイドロールに対して容易にウェブを通すことができ、且つ高所作業が不要となることから危険も無くなる。
【００１０】
本願請求項２の発明は上述の構成により、ウェブ案内部への紙通しを行うに際しては、紙通しチェーンの上流側にウェブ先端を貼り付け、次いで駆動機構を手動操作して紙通しチェーンを走行させ、ウェブを所定の経路を通って案内し、アキュムレータ部の最初の上ガイドロールにまで通す。次いで、アキュムレータ部には上記したのと同じ手順でウェブを通す。以上のようにして、ウェブ案内部及びアキュムレータ部への紙通しを行うことができる。
【００１１】
【実施例】
以下、図面に示す本発明の好適な実施例を説明する。
図５は本発明の実施例による紙通し装置を設ける対象である加工機用の給紙装置を示すものであり、１はウェブ、２はウェブロール等の給紙源から引き出したウェブ１を所定の経路に沿って案内するウェブ案内部、３はウェブ１を一時的に蓄積可能なアキュムレータ部である。ウェブ案内部２は、定位置に配置された複数のガイドロール５と、上下動可能に設けられたダンサーロール６とを備えている。アキュムレータ部３は、上下に間隔を開けて且つ定位置に配置された複数の上ガイドロール７及び下ガイドロール８と、該上ガイドロール７及び下ガイドロール８の間に配置され、ほぼ水平に移動可能な複数の移動ロール９と、排出されるウェブ１を案内するガイドロール１０等を備えている。
【００１２】
この給紙装置では、通常は、ウェブ１は図５（ａ）に示す経路に沿って走行し、ガイドロール１０を経て下流の加工部（図示せず）に送り出されているが、ウェブロールを切り換える際には、図５（ｂ）に示すように、移動ロール９を前進させることによってアキュムレータ部３にウェブ１を蓄積しておき、ウェブ案内部２の上流でウェブ１を一旦停止させてウェブロールを切り換える際、アキュムレータ部３に蓄積したウェブ１を繰り出すことで、ウェブ給紙を継続することができる。
【００１３】
このアキュムレータ部３は、図５（ａ）、（ｂ）に示すように移動ロール９が大きく水平に移動し、従ってウェブの走行長さが大きく変化するので、あらかじめウェブの走行経路に沿って紙通し用のワイヤやチェーンを配置しておくことができない。一方、ウェブ案内部２では、ウェブの走行経路及び走行長さがほぼ同じであるので定位置にあらかじめ紙通し用のチェーンを配置しておくことが容易である。そこで、本実施例ではウェブ案内部２とアキュムレータ部３との紙通し方式を分け、別の方式の紙通し装置を設けている。
【００１４】
図１は、その紙通し装置を設けた給紙装置を概略的に示す側面図であり、１２はウェブ案内部２に設けている第一の紙通し装置、１３はアキュムレータ部３に設けている第二の紙通し装置である。図２はウェブ案内部２に設けている紙通し装置１２を示す概略斜視図である。この紙通し装置１２は、ウェブ案内部２の定位置に配置されたガイドロール５のロール端及びアキュムレータ部３の最初の上ガイドロール７のロール端にそれぞれ設けられたチェーンスプロケット１５と、ダンサーロール６の下方に配置されたチェーンスプロケット１６と、それらのチェーンスプロケット１５、１６にウェブ案内部２を通過するウェブとほぼ同一経路となるように掛けられた紙通しチェーン１７等を備えている。
【００１５】
この紙通しチェーン１７は有端状のもので、一端側はウェブ案内部２の入口側のガイドロール５に設けているチェーンスプロケット１５から垂れ下がり、他端側は上ガイドロール７のチェーンスプロケット１５から垂れ下がるように配置されている。又、この紙通しチェーン１７の垂れ下がった部分にはガイド１８、１９が設けられ、紙通しチェーン１７の走行位置を規制している。ガイド１９は移動ロール９の移動に干渉しないように、移動ロール９の移動位置よりも上方に配置されている。紙通しチェーン１７には、ウェブの先端を貼り付けるためのウェブ貼り付け部材２０と、紙通しチェーン１７の後端がガイド１９から抜けないように規制するストッパ２１が取り付けられている。ウェブ貼り付け部材２０の紙通しチェーン１７に対する取付位置は、紙通しチェーン１７を図２に示す位置（チェーン後端がガイド１９の下端にほぼ一致している位置）とした時に、ウェブ案内部２の入口側で作業者が容易に接近しうる位置となるように定められている。更に、紙通しチェーン１７の長さは、その紙通しチェーン１７を後方に走行させ、ウェブ貼り付け部材２０を、下流側のガイド１９の下方に降下させた状態においても、紙通しチェーン１７が依然として入口側のガイド１８を通っている状態に保たれるように定められている。また、ガイド１８の下方には紙通しチェーン１７を収容する収容箱２３が設けられている。
【００１６】
紙通しチェーン１７を掛けた複数のチェーンスプロケット１５のうち、少なくとも両端に位置するチェーンスプロケット１５にはプーリ２５が一緒に回転するように設けられており、且つ適当な位置にアイドラプーリ２６と操作用プーリ２７が配置され、それらのプーリ２５〜２７には無端状ベルト２８が掛けられている。更に、操作用プーリ２７にはハンドル２９が設けられており、手動で回転させることができるようになっている。かくして、この操作用プーリ２７を手動で正転、逆転方向に回転させることにより、チェーンスプロケット１５を正転、逆点方向に回転させ、紙通しチェーン１７を前後方向に走行させることができる。これらのプーリ２５〜２７、無端状ベルト２８は、チェーンスプロケット１５を手動で回転駆動させる駆動機構３０を構成している。
【００１７】
図１において、アキュムレータ部３に設けている紙通し装置１３は、アキュムレータ部３の上ガイドロール７のうち、ウェブ１が上部を逆Ｕ字状に通過するように配置された上ガイドロール７の端部上方に、該上ガイドロールの上面を取り囲むように設けられた逆Ｕ字状のガイド溝３２ａを備えたガイド部材３２を備えている。このガイド部材３２は図３に拡大して示すように、上ガイドロール７の端部を取り囲むように配置されており、且つ上ガイドロール７のウェブ通過領域に面する側を開口している。紙通し装置１３は更に、このガイド溝３２ａ内を通過しうるよう湾曲自在な長尺のばね材３３と、そのばね材３３を通り抜け可能な形態で挿入させて保持する支持材３４を備えている。ばね材３３の長さは、図３（ｃ）に示すように、ばね材３３をガイド部材３２に通し、その両端を下方に延び出させた時、その両端に作業者が容易に接近しうるように定められている。また、支持材３４は、作業者がその支持材３４の下端を保持して操作することで、その支持材３４の上端からばね材３３の先端をガイド溝３２ａの一端に挿入させることの可能な長さを有している。これらのばね材３３及び支持材３４は、定位置に固定して設けられるものではなく、適当な場所に保管しておき、必要に応じ持ち運びして使用するものである。
【００１８】
次に、上記構成の紙通し装置１２、１３を用いた紙通し方法を説明する。紙通しを行う時には、図４（ａ）に示すように紙通しチェーン１７は、ウェブ貼り付け部材２０がウェブ案内部２の入口側に位置する状態となっている。また、アキュムレータ部３の移動ロール９は原点位置（上ガイドロール７の真下に位置する位置）となっている。まず、紙通ししようとするウェブ１の先端を紙通しチェーン１７のウェブ貼り付け部材２０に貼り付け、次いで、操作用プーリ２７（図２参照）を手動で回転させて紙通しチェーン１７を図４（ａ）に矢印で示すように走行させ、図４（ｂ）に示す位置まで移動させる。これにより、ウェブ１は紙通しチェーン１７で引き出され、ガイドロール５やダンサーロール６に掛けら、且つアキュムレータ部３の下ガイドロール８の位置まで通される。
【００１９】
次に、図３（ａ）に示すようにばね材３３を挿入させた支持材３４を手で持ち上げ、図３（ｂ）に示すようにその上端をガイド部材３２の端部に押し当て、且つばね材３３の先端をガイド溝３２ａに挿入させ、更にそのばね材３３を押し込み、その後、図３（ｃ）に示すように支持材３４を取り外す。その後、そのばね材３３の一端に、図４（ｃ）に示すように、下ガイドロール８の下を通したウェブ１の先端を貼り付け、板ばね３３を矢印方向に動かし、下方に引き抜く。これにより、図４（ｄ）に示すように、ウェブ１は上ガイドロール７の上を通って再び下ガイドロール８の下まで通される。以上により、ウェブ案内部２及びアキュムレータ部３への紙通しが行われる。この紙通し動作中、操作の一部を手動で行っているが、その際の作業位置は作業者が容易に接近しうる低い位置であるので、危険はなく、且つ作業を容易に実施できる。
【００２０】
なお、紙通しを行った後、適当なタイミングで紙通しチェーン１７を図４（ａ）に示す元の位置に戻し、次の紙通し操作に備える。
【００２１】
【発明の効果】
以上の説明から明らかなように、請求項１の発明は、アキュムレータ部の紙通し装置として、単に、上ガイドロールの端部上方に、逆Ｕ字状のガイド溝を備えたガイド部材を設け、且つそのガイド溝内を通過しうるよう湾曲自在な長尺のばね材と、該ばね材を挿入させて保持する支持材とを備えただけのものを用いたので、装置自体の機構が単純且つ小型となり、コストを下げることができると共にメンテナンスもほとんど必要ないという効果を有している。
【００２２】
また、請求項２の発明は、ウェブ案内部とアキュムレータ部との紙通し機構を別の構造のものとし、ウェブ案内部には紙通しチェーンを用い、アキュムレータ部には上記した請求項１の発明のものを用いたことにより、装置自体の機構が単純且つ小型となり、コストを下げることができると共にメンテナンスもほとんど必要なくなり、更に、スペースの無い場所への比較的容易に設置しやすいという効果を有している。
【図面の簡単な説明】
【図１】本発明の実施例による紙通し装置を設けた給紙装置を概略的に示す側面図
【図２】上記実施例のウェブ案内部に設けている紙通し装置を示す概略斜視図
【図３】（ａ）、（ｂ）、（ｃ）はそれぞれ、上記実施例のアキュムレータ部に設けている紙通し装置の動作を説明する概略斜視図
【図４】（ａ）、（ｂ）、（ｃ）、（ｄ）はそれぞれ、紙通し動作を説明する概略側面図
【図５】（ａ）、（ｂ）はそれぞれ、給紙装置の動作を説明する概略側面図
【符号の説明】
１  ウェブ
２  ウェブ案内部
３  アキュムレータ部
５  ガイドロール
６  ダンサーロール
７  上ガイドロール
８  下ガイドロール
９  移動ロール
１２、１３  紙通し装置
１５、１６  チェーンスプロケット
１７  紙通しチェーン
３０  駆動機構
３２  ガイド部材
３２ａ  ガイド溝
３３  ばね材
３４  支持材
【図１】
0003642351.tif 000002
【図２】
0003642351.tif 000003
【図３】
0003642351.tif 000004
【図４】
0003642351.tif 000005
【図５】
0003642351.tif 000006